(57)【要約】【課題】光漏れを抑制し、尚且つ正面視及び側面視の双方でその意匠性を向上させるとともに、フィンに係わる品質を向上可能としたロールスクリーン及びサイドカバーを提供する。【解決手段】本発明のロールスクリーン１は、スクリーンを昇降可能とし、所定の枠体に固定又は可動に支持されるフィン９と、フィン９の側端部を覆うサイドカバー１０とを備える。また、本発明のサイドカバー１０は、ロールスクリーン１以外の遮蔽装置に設けられるフィン９に対し取着することができる。【選択図】図６
2018109291.tif 000002
【特許請求の範囲】
【請求項１】
スクリーンを昇降可能とするロールスクリーンであって、
所定の枠体に固定又は可動に支持されるフィンと、
前記フィンの側端部を覆うサイドカバーと、
を備えることを特徴とするロールスクリーン。
【請求項２】
前記スクリーンを巻き取り、或いは巻き戻し可能とする巻取パイプが、所定の支持部材を介して前記所定の枠体に支持され、
前記フィンは、前記所定の支持部材の範囲外となる前記巻取パイプの前方に位置するよう構成され、
前記サイドカバーは、前記巻取パイプと前記所定の支持部材との間の隙間を防止可能に構成されていることを特徴とする、請求項１に記載のロールスクリーン。
【請求項３】
前記サイドカバーは、前記所定の枠体に可動支持される当該フィンが所定可動位置でのみ着脱可能となるよう構成されていることを特徴とする、請求項１又は２に記載のロールスクリーン。
【請求項４】
前記サイドカバーは、前記所定の枠体に可動支持される当該フィンに対し、該フィンと一体となって可動するよう構成されていることを特徴とする、請求項１から３のいずれか一項に記載のロールスクリーン。
【請求項５】
前記サイドカバーは、外力に対する耐性を持つよう前記フィンの側端部の一部を押さえ付けて係合する外れ防止手段を有することを特徴とする、請求項１から４のいずれか一項に記載のロールスクリーン。
【請求項６】
前記巻取パイプは、操作コードで回転操作可能に構成され、
前記外れ防止手段は、前記操作コードによる上方・引き方向の操作時に、前記操作コードとの抵触部位を有することを特徴とする、請求項５に記載のロールスクリーン。
【請求項７】
前記巻取パイプは、操作コードで回転操作可能に構成され、
前記サイドカバーは、当該スクリーンの外向斜め操作時に前記操作コードとの接触部位を有することを特徴とする、請求項２から６のいずれか一項に記載のロールスクリーン。
【請求項８】
前記サイドカバーは、前記フィンの側端部を覆うとともに、前記所定の支持部材における一側面の全部又は一部を覆うことが可能に構成されていることを特徴とする、請求項２から７のいずれか一項に記載のロールスクリーン。
【請求項９】
当該フィンが回動可能に前記所定の枠体に支持され、
前記サイドカバーは、該フィンの回動範囲を規制する規制手段を有することを特徴とする、請求項１から８のいずれか一項に記載のロールスクリーン。
【請求項１０】
前記サイドカバーは、当該フィンの側端部を覆う正面視の領域に凹部を有することを特徴とする、請求項１から９のいずれか一項に記載のロールスクリーン。
【請求項１１】
前記フィンの前面に所定の生地を備え、
前記サイドカバーは、前記フィンの側端部を収容する収容部に、前記所定の生地に対する生地止めが設けられていることを特徴とする、請求項１から１０のいずれか一項に記載のロールスクリーン。
【請求項１２】
前記サイドカバーは、前記所定の支持部材における側端部の少なくとも一部を保持するための保持壁を有することを特徴とする、請求項２から１１のいずれか一項に記載のロールスクリーン。
【請求項１３】
前記サイドカバーは、前記所定の支持部材における一側面の全部又は一部を覆うカバーとは分離して構成されていることを特徴とする、請求項２から６のいずれか一項に記載のロールスクリーン。
【請求項１４】
前記サイドカバーは、前記所定の枠体に可動支持される当該フィンに対し、該フィンが所定の基本姿勢にあるときに、前記カバーと近接又は密着させる形状を有することを特徴とする、請求項１３に記載のロールスクリーン。
【請求項１５】
前記サイドカバーは、前記フィンが所定の基本姿勢にある際に前記基本姿勢時の当該フィンの側端部を覆う第１の部位と、前記第１の部位に連なる第２の部位とを有し、
前記第２の部位は、前記所定の支持部材における一側面の全部又は一部を覆うカバーとして機能するよう前記所定の支持部材と係合し、
前記第１の部位は、前記フィン及び前記所定の支持部材とは非係合として構成されていることを特徴とする、請求項２に記載のロールスクリーン。
【請求項１６】
前記フィンが前記所定の枠体に可動支持される際に、前記サイドカバーは該フィンと一体となって可動することなく、前記所定の支持部材に対し前記第２の部位が係合していることを特徴とする、請求項１５に記載のロールスクリーン。
【請求項１７】
前記第１の部位は、前記フィンが所定の基本姿勢から所定の回動角度で回動した状態でも前記フィンの側端部を覆うことを可能とする面積を有することを特徴とする、請求項１６に記載のロールスクリーン。
【請求項１８】
遮蔽装置に設けられるフィン用のサイドカバーであって、
所定の枠体に固定又は可動に支持されるフィンの側端部を覆うよう構成されていることを特徴とするサイドカバー。
【請求項１９】
前記フィンに取着される所定の生地に対して生地ずれを抑制するための生地抑制手段を有することを特徴とする、請求項１８に記載のサイドカバー。
【請求項２０】
前記フィンが前記所定の枠体に回動可能に支持され、
前記フィンの回動状態によって、前記所定の枠体又はこれに接続される部材に対し、前記フィンからの外れ防止となるよう係合する係合モードと、該係合を解除する非係合モードとを切替可能とする外れ防止用の返し部を備えていることを特徴とする、請求項１９に記載のサイドカバー。
【請求項２１】
前記フィンの側端部を覆う第１の部位と、前記第１の部位に連なる略平板状の第２の部位とを有し、
前記第２の部位は、前記第１の部位における前記フィンの側端部を覆う面積よりも大きい面積を有することを特徴とする、請求項１９又は２０に記載のサイドカバー。
【請求項２２】
前記フィンが所定の基本姿勢にある際に前記基本姿勢時の当該フィンの側端部を覆う第１の部位と、前記第１の部位に連なる第２の部位とを有し、前記第２の部位は、前記所定の枠体に接続される所定の支持部材における一側面の全部又は一部を覆うカバーとして機能するよう前記所定の支持部材と係合し、
前記第１の部位は、前記フィン及び前記所定の支持部材とは非係合として構成されていることを特徴とする、請求項１８に記載のサイドカバー。
【請求項２３】
前記フィンが前記所定の枠体に可動支持される際に、前記サイドカバーは該フィンと一体となって可動することなく、前記所定の支持部材に対し前記第２の部位が係合していることを特徴とする、請求項２２に記載のサイドカバー。
【請求項２４】
前記第１の部位は、前記フィンが所定の基本姿勢から所定の回動角度で回動した状態でも前記フィンの側端部を覆うことを可能とする面積を有することを特徴とする、請求項２３に記載のサイドカバー。
【発明の詳細な説明】
【技術分野】
【０００１】
本発明は、巻取パイプによりスクリーンを巻き取り又は巻き戻してスクリーンを昇降可能とするロールスクリーン、及び遮蔽材の開閉を可能とする遮蔽装置に設けられるフィン用のサイドカバーに関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、天井面や壁面等の取付面に対してブラケットを介して取着された取付フレームにより支持部材（サイドブラケット）を介して巻取パイプを支持し、スクリーンの上縁部を巻取パイプに取着して垂下させ、巻取パイプによってスクリーンの巻き取り又は巻き戻しを行うことにより室内への採光量を調節可能に構成される。
【０００４】
一般的なロールスクリーンでは、取付フレームの両端に支持部材（サイドブラケット）が固定され、左右両側の支持部材間に円筒状の巻取パイプが回転可能に支持される。
【０００５】
ところで、取付フレームと巻取パイプとの間の隙間を防止するため、カバー材を配置するよう構成したロールスクリーンが開示されている（例えば、特許文献１参照）。
【先行技術文献】
【特許文献】
【０００６】
【特許文献１】特開２０１６−１９９９８６号公報
【発明の概要】
【発明が解決しようとする課題】
【０００７】
前述したように、特許文献１には、取付フレームと巻取パイプとの間の隙間を防止するため、巻取パイプの前方にカバー材を配置するよう構成したロールスクリーンが開示されている。
【０００８】
しかしながら、特許文献１に開示される技法では、当該カバー材と巻取パイプを支持する支持部材との間に隙間が生じる為、光漏れが生じるという問題がある。
【０００９】
また、このようなカバー材（以下、「フィン」と称する）は、ロールスクリーン以外にも枠体の下方の遮光性や遮風性を高める用途に利用できるものであるが、係着又は貼着等でフィンに所定の生地を取着することで正面視の意匠性をより向上させることができる。
【００１０】
ただし、フィンの設置で遮蔽装置の正面視の意匠性を向上させることができても、側面視した場合、フィンがあることで却って側面視の意匠性を損なう結果となることがある。
【００１１】
特に、特許文献１に開示される技法では、当該カバー材と巻取パイプを支持する支持部材との間に隙間が生じる構成となっており、ロールスクリーンの側面視においての意匠性に改善の余地がある。
【００１２】
また、当該フィンの端部（端縁）を保護することが安全面や破損抑止等の品質上の観点から望ましいが、特許文献１に開示される技法ではフィンの端部（端縁）の保護が為されていないため、この観点からも改善の余地がある。
【００１３】
本発明の目的は、上述の問題に鑑みて、光漏れを抑制し、尚且つ正面視及び側面視の双方でその意匠性を向上させるとともに、フィンに係わる品質を向上可能としたロールスクリーン及びサイドカバーを提供することにある。
【課題を解決するための手段】
【００１４】
本発明のロールスクリーンは、スクリーンを昇降可能とするロールスクリーンであって、所定の枠体に固定又は可動に支持されるフィンと、前記フィンの側端部を覆うサイドカバーと、を備えることを特徴とする。
【００１５】
また、本発明のロールスクリーンにおいて、前記スクリーンを巻き取り、或いは巻き戻し可能とする巻取パイプが、所定の支持部材を介して前記所定の枠体に支持され、前記フィンは、前記所定の支持部材の範囲外となる前記巻取パイプの前方に位置するよう構成され、前記サイドカバーは、前記巻取パイプと前記所定の支持部材との間の隙間を防止可能に構成されていることを特徴とする。
【００１６】
また、本発明のロールスクリーンにおいて、前記サイドカバーは、前記所定の枠体に可動支持される当該フィンが所定可動位置でのみ着脱可能となるよう構成されていることを特徴とする。
【００１７】
また、本発明のロールスクリーンにおいて、前記サイドカバーは、前記所定の枠体に可動支持される当該フィンに対し、該フィンと一体となって可動するよう構成されていることを特徴とする。
【００１８】
また、本発明のロールスクリーンにおいて、前記サイドカバーは、外力に対する耐性を持つよう前記フィンの側端部の一部を押さえ付けて係合する外れ防止手段を有することを特徴とする。
【００１９】
また、本発明のロールスクリーンにおいて、前記巻取パイプは、操作コードで回転操作可能に構成され、前記サイドカバーは、当該スクリーンの外向斜め操作時に前記操作コードとの接触部位を有することを特徴とする。
【００２０】
また、本発明のロールスクリーンにおいて、前記巻取パイプは、操作コードで回転操作可能に構成され、前記外れ防止手段は、前記操作コードによる上方・引き方向の操作時に、前記操作コードとの抵触部位を有することを特徴とする。
【００２１】
また、本発明のロールスクリーンにおいて、前記サイドカバーは、前記フィンの側端部を覆うとともに、前記所定の支持部材における一側面の全部又は一部を覆うことが可能に構成されていることを特徴とする。
【００２２】
また、本発明のロールスクリーンにおいて、当該フィンが回動可能に前記所定の枠体に支持され、前記サイドカバーは、該フィンの回動範囲を規制する規制手段を有することを特徴とする。
【００２３】
また、本発明のロールスクリーンにおいて、前記サイドカバーは、当該フィンの側端部を覆う正面視の領域に凹部を有することを特徴とする。
【００２４】
また、本発明のロールスクリーンにおいて、前記フィンの前面に所定の生地を備え、前記サイドカバーは、前記フィンの側端部を収容する収容部に、前記所定の生地に対する生地止めが設けられていることを特徴とする。
【００２５】
また、本発明のロールスクリーンにおいて、前記サイドカバーは、前記所定の支持部材における側端部の少なくとも一部を保持するための保持壁を有することを特徴とする。
【００２６】
また、本発明のロールスクリーンにおいて、前記サイドカバーは、前記所定の支持部材における一側面の全部又は一部を覆うカバーとは分離して構成されていることを特徴とする。
【００２７】
また、本発明のロールスクリーンにおいて、前記サイドカバーは、前記所定の枠体に可動支持される当該フィンに対し、該フィンが所定の基本姿勢にあるときに、前記カバーと近接又は密着させる形状を有することを特徴とする。
【００２８】
また、本発明のロールスクリーンにおいて、前記サイドカバーは、前記フィンが所定の基本姿勢にある際に前記基本姿勢時の当該フィンの側端部を覆う第１の部位と、前記第１の部位に連なる第２の部位とを有し、前記第２の部位は、前記所定の支持部材における一側面の全部又は一部を覆うカバーとして機能するよう前記所定の支持部材と係合し、前記第１の部位は、前記フィン及び前記所定の支持部材とは非係合として構成されていることを特徴とする。
【００２９】
また、本発明のロールスクリーンにおいて、前記フィンが前記所定の枠体に可動支持される際に、前記サイドカバーは該フィンと一体となって可動することなく、前記所定の支持部材に対し前記第２の部位が係合していることを特徴とする。
【００３０】
また、本発明のロールスクリーンにおいて、前記第１の部位は、前記フィンが所定の基本姿勢から所定の回動角度で回動した状態でも前記フィンの側端部を覆うことを可能とする面積を有することを特徴とする。
【００３１】
更に、本発明のサイドカバーは、遮蔽装置に設けられるフィン用のサイドカバーであって、所定の枠体に固定又は可動に支持されるフィンの側端部を覆うよう構成されていることを特徴とする。
【００３２】
また、本発明のサイドカバーにおいて、前記フィンに取着される所定の生地に対して生地ずれを抑制するための生地抑制手段を有することを特徴とする。
【００３３】
また、本発明のサイドカバーにおいて、前記フィンが前記所定の枠体に回動可能に支持され、前記フィンの回動状態によって、前記所定の枠体又はこれに接続される部材に対し、前記フィンからの外れ防止となるよう係合する係合モードと、該係合を解除する非係合モードとを切替可能とする外れ防止用の返し部を備えていることを特徴とする。
【００３４】
また、本発明のサイドカバーにおいて、前記フィンの側端部を覆う第１の部位と、前記第１の部位に連なる略平板状の第２の部位とを有し、前記第２の部位は、前記第１の部位における前記フィンの側端部を覆う面積よりも大きい面積を有することを特徴とする。
【００３５】
また、本発明のサイドカバーにおいて、前記フィンが所定の基本姿勢にある際に前記基本姿勢時の当該フィンの側端部を覆う第１の部位と、前記第１の部位に連なる第２の部位とを有し、前記第２の部位は、前記所定の枠体に接続される所定の支持部材における一側面の全部又は一部を覆うカバーとして機能するよう前記所定の支持部材と係合し、前記第１の部位は、前記フィン及び前記所定の支持部材とは非係合として構成されていることを特徴とする。
【００３６】
また、本発明のサイドカバーにおいて、前記フィンが前記所定の枠体に可動支持される際に、前記サイドカバーは該フィンと一体となって可動することなく、前記所定の支持部材に対し前記第２の部位が係合していることを特徴とする。
【００３７】
また、本発明のサイドカバーにおいて、前記第１の部位は、前記フィンが所定の基本姿勢から所定の回動角度で回動した状態でも前記フィンの側端部を覆うことを可能とする面積を有することを特徴とする。
【発明の効果】
【００３８】
本発明によれば、光漏れを抑制し、尚且つ正面視及び側面視の双方で一体感を持たせ、その意匠性を向上させるとともに、フィンに係わる品質を向上させることができる。
【図面の簡単な説明】
【００３９】
【図１】本発明による一実施形態の遮蔽装置としてのロールスクリーンの概略構成を示す正面図である。
【図２】本発明による一実施形態の遮蔽装置としてのロールスクリーンにおけるフィンの構成例を示す側面図である。
【図３】（ａ）,（ｂ）は、それぞれ本発明による一実施形態の遮蔽装置としてのロールスクリーンにおけるフィンの動作を説明する側面図である。
【図４】（ａ），（ｂ），（ｃ）は、それぞれ本発明による一実施形態の遮蔽装置としてのロールスクリーンにおけるフィンの動作例を個別に説明する側面図である。
【図５】（ａ），（ｂ），（ｃ）は、それぞれフィンを別の実施形態の遮蔽装置としてのロールスクリーンに適用した際の構成を示すとともにそのフィンの動作を説明する側面図である。
【図６】（ａ）,（ｂ）は、それぞれ本発明による実施例１のサイドカバーの周辺構成を部分的に示す斜視図と、サイドカバー１０の組み付け位置を示す斜視図である。
【図７】本発明による実施例１のサイドカバーについて、フィンに対し取り付け可能とする詳細な構造を示す斜視図である。
【図８】（ａ）,（ｂ）は、それぞれ本発明による実施例１のサイドカバーの構成を示す側面図及び平面図である。
【図９】（ａ）,（ｂ）は、それぞれ本発明による実施例１のサイドカバーの動作と着脱方法を示す側面図である。
【図１０】（ａ）,（ｂ）は、それぞれ本発明による実施例１のサイドカバーの適用例を示す側面図である。
【図１１】（ａ）,（ｂ）は、それぞれ本発明による実施例１のサイドカバーの着脱方法を説明するための斜視図である。
【図１２】本発明による実施例１のサイドカバーの構造及び作用・効果を補足説明するための斜視図である。
【図１３】本発明による実施例１のサイドカバーの構造及び作用・効果を補足説明するための部分的な正面図である。
【図１４】本発明による実施例１のサイドカバーの構造及び作用・効果を更に補足説明するための部分的な正面図である。
【図１５】本発明による変形例のサイドカバーの概略構造を示す斜視図である。
【図１６】（ａ）,（ｂ）は、それぞれ本発明による更なる変形例のサイドカバーの周辺構成を部分的に示す斜視図と、当該変形例のサイドカバーの組み付け位置を示す斜視図である。
【図１７】（ａ）,（ｂ）は、それぞれ本発明による更なる変形例のサイドカバーの周辺構成を部分的に示す斜視図と、当該変形例のサイドカバーの組み付け位置を示す斜視図である。
【図１８】本発明による実施例２のサイドカバーの周辺構成を部分的に示し、そのサイドカバーの組み付け位置を示す斜視図である。
【図１９】（ａ）,（ｂ）は、それぞれ本発明による実施例２のサイドカバーの詳細な構造と、その変形例を示す斜視図である。
【図２０】（ａ）,（ｂ）は、それぞれ本発明による実施例２のサイドカバーの動作と着脱方法を示す側面図である。
【図２１】（ａ）,（ｂ）は、それぞれ本発明による実施例２のサイドカバーの構造及び作用・効果、並びに着脱方法を補足説明するための斜視図である。
【発明を実施するための形態】
【００４０】
以下、図面を参照して、本発明による一実施形態の遮蔽装置としてのロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とする。
【００４１】
（全体構成）
まず、図１を参照して、本発明による一実施形態の遮蔽装置としてのロールスクリーン１の構成を説明する。図１は、本発明に係るロールスクリーン１の概略構成を示す正面図である。
【００４２】
図１に示すロールスクリーン１では、取付フレーム２の両端に支持部材２ａ，２ｂが固定され、その支持部材２ａ，２ｂには軸部材（図示せず）が固定されており、この軸部材から延びる固定軸（図示せず）によって、支持部材２ａ，２ｂ間に円筒状の巻取パイプ３が回転可能に支持される。取付フレーム２は、ブラケット６により取着面に固定される。各支持部材２ａ，２ｂは、サイドカバー１０によって収容され、後述するが、その意匠性と、フィン９の回動動作に関する機能性を向上させている。
【００４３】
巻取パイプ３の右端部には操作プーリー（図示せず）が設けられ、この操作プーリーに掛回される無端状の操作コード７が垂下されている。本例では、この操作コード７をボールチェーンで構成し、このボールチェーンが掛回される当該操作プーリーの表面を、そのボールチェーンのボール部に適合する形状の凹凸を有するように構成している。そして、操作コード７の操作により巻取パイプ３を回転操作可能としている。尚、操作コード７を紐状とし、この操作コード７が掛回される当該操作プーリーの表面を高摩擦性の表面形状としてもよい。
【００４４】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている。
【００４５】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００４６】
また、巻取パイプ３内において、その左端側にはスクリーン４の巻上時の操作力を軽減するスプリングモーター、右端側にはスクリーン４の自重降下を防止するストッパー装置等が収容されている（図示せず）。
【００４７】
ここで、本発明に係るロールスクリーン１では、所定の生地１３を容易に取着可能とした構造を有するフィン９が、取付フレーム２の前側（正面側）に取着され、巻取パイプ３と取付フレーム２との間で生じる隙間からの光漏れ等を効果的に遮蔽するようになっている。
【００４８】
（フィンの構成）
図２には、本実施形態のロールスクリーン１における一実施例のフィン９の構成を示している。図２に示すように、取付フレーム２の正面側に設けられている軸受部２０にフィン９の軸部９１が係合しており、これによりフィン９は、取付フレーム２の前側（正面側）で所定の範囲内で回動可能に支持される。
【００４９】
フィン９は、全体として略Ｌ字状の断面形状を有しており、取付フレーム２の前側（正面側）で回動可能に係止される。フィン９は遮光性の高い合成樹脂やアルミニウム等により形成するのが好適であるが、本例のように生地１３を取着する場合には透明又は半透明の合成樹脂とすることもできる。
【００５０】
そして、フィン９の左右方向幅は、取付フレーム２の左右方向幅と略同一の長さを有し、より正確には取付フレーム２の左右方向幅よりもわずかに短い構成となっており、例えばフィン９が合成樹脂で形成されているときに熱膨張等で左右方向幅が変化しても、スムーズに回動可能に係止されるようになっている。
【００５１】
取付フレーム２の正面下方には、その長手方向に延在する略Ｃ字断面形状の軸受部２０が形成されている。この軸受部２０にフィン９の軸部９１が係合しており、これによりフィン９は、取付フレーム２の背面側で回動可能に支持される。取付フレーム２の長手方向の両端部には支持部材２ａ，２ｂが取着されている。
【００５２】
尚、支持部材２ａ，２ｂは、同一形状で構成され、取付フレーム２の軸受部２０の略Ｃ字断面形状とほぼ合致する大きさの切欠き（図示せず）が設けられている。この切欠きは、支持部材２ａ，２ｂを取付フレーム２へ固定した後で、フィン９の軸部９１を左右方向からスライドさせて軸受部２０に挿入して支持可能にするために設けられる。そして、フィン９をスライドさせて取り外し可能とし、このスライド以外は取り外し不可としてフィン９に外力が加わっても取付フレーム２から外れないようになっている。
【００５３】
図２に示すように、取付フレーム２の正面下方には、その長手方向に延在する略Ｃ字断面形状の軸受部２０が形成されている。より具体的には、軸受部２０は、取付フレーム２の底部から上方に延びる回動規制片２０ａの先端に折曲軸２０ｆを形成し、フィン９の軸部９１を支持可能にしている。回動規制片２０ａは、フィン９の下方への回動を規制する機能を有する。また、取付フレーム２の背面における軸受部２０の上方には、フィン９の上方への回動を規制する回動規制片２０ｂが形成されている。図示する例では、回動規制片２０ａは取付フレーム２の本体正面から前方に突出する略Ｃ字状で形成され、回動規制片２０ｂは後方に突出する略板状で形成されている。そして、フィン９の軸部９１が軸受部２０に係止されている状態では、フィン９の上下方向への回動が規制され、フィン９をどのように回動させても背面方向へ軸受部２０から外れないようになっている。
【００５４】
フィン９は、その概略構成として、先端に略Ｃ字状の軸部９１を有し取付フレーム２の前側面から前方へ所定長さで屈曲して突出する支持板部９３と、この支持板部９３から下方へ所定長さで延びる遮蔽板部９４とにより、全体として略Ｌ字状の断面形状を有し、スクリーン４（或いは後述するウェイトバー５）との干渉による衝突力や接触音を回避又は緩和するよう複曲面形状の部材（単一部材でも復号部材でもよい）で形成されている。
【００５５】
より具体的には、支持板部９３は概ね略Ｌ字状に屈曲した形状を有し、その先端に略Ｃ字状の軸部９１が形成されている。軸部９１は軸受部２０における折曲軸２０ｆによって回動可能に係止される部位である。軸部９１の先端は鋭角に屈折した略鉤形状で形成され、軸受部２０に対して空間的余裕を持たせた状態で係合させることで、フィン９が軸受部２０から外れにくくするとともに、フィン９の回動自由度を高めている。
【００５６】
一方、このように回動自由度を高めた態様でフィン９の軸部９１を軸受部２０に係止させると、フィン９と回動規制片２０ｂの回動干渉により不快な干渉音（接触音）を生じさせることから、軸部９１には、厚みを変化させ回動範囲で肉厚を持たせた曲部９２を形成している。
【００５７】
また、支持板部９３の先端に設けられる軸部９１の付け根近傍には、当接部９７が形成されている。当接部９７は、詳細は後述するが回動規制片２０ｂと当接することで、フィン９の上方への回動を規制する部位である。
【００５８】
このような軸部９１の形状とすることで、フィン９が軸受部２０から外れにくくするとともに、ガタツキを抑制してその干渉音を軽減させつつフィン９の回動を許容するものとなっている。これにより、当接部９７と回動規制片２０ｂとの回動干渉に起因する不快な干渉音（接触音）も無視できるほど軽減させることができる。
【００５９】
また、支持板部９３の先端に設けられている軸部９１の下方には、突起部９８が形成されており、突起部９８は軸部９１と並んで支持板部９３から突出している。突起部９８は、詳細は後述するが、取付フレーム２における軸受部２０の回動規制片２０ａと当接する位置でフィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００６０】
そして、この支持板部９３から下方へ延びる遮蔽板部９４の下端には、曲面形状の干渉緩和部９５が形成されている。干渉緩和部９５は、スクリーン４（或いは後述する実施形態ではウェイトバー５）との接触が有るときでも、その接触音や衝突力を緩和するようスクリーン４（又はウェイトバー５）から遠ざかる方向に反り返る形状を有する。
【００６１】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に位置する爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００６２】
図３（ａ），（ｂ）は、本実施形態のロールスクリーン１における一実施例のフィン９の動作を説明する側面図であり、特に、図３（ａ）にはフィン９の下側回動規制に関して、図３（ｂ）にはフィン９の上側回動規制に関して図示している。
【００６３】
図３（ａ）に示すように、支持板部９３の先端に設けられている軸部９１の下方には、突起部９８が形成されており、突起部９８は軸部９１と並んで支持板部９３から突出している。フィン９は、軸部９１により軸受部２０における折曲軸２０ｆによって回動可能に係止される。フィン９に設けられる突起部９８は、取付フレーム２における軸受部２０の回動規制片２０ａと当接する位置でフィン９の下方への回動を規制する機能を有する。このとき、フィン９は、その基本姿勢として、フィン９の遮蔽板部９４の長手方向が取付フレーム２の前後方向に対しほぼ垂直（鉛直方向への垂下）になるように規制されている。このように、フィン９をロールスクリーン１の取付フレーム２に取り付けたときの基本姿勢としてフィン９の遮蔽板部９４の長手方向が取付フレーム２の前後方向に対しほぼ垂直（鉛直方向への垂下）となるため、その意匠性を向上させている。
【００６４】
また、図３（ｂ）に示すように、フィン９に設けられる軸部９１の付け根近傍には、当接部９７が形成されている。当接部９７は、当該基本姿勢からフィン９が回動した際に回動規制片２０ｂと当接することでフィン９の上方への回動を規制する部位である。これにより、フィン９がブラケット６やその取付面に対し非当接となるようになっている。このように、フィン９をロールスクリーン１の取付フレーム２に取り付けた場合の操作性を損なうことなく、その品質を維持することができる。
【００６５】
そして、フィン９には、遮蔽板部９４の前面上端及び下端に、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００６６】
このように、フィン９は、生地１３の上端のみを係着させる構造とすることで、生地１３に撓みを生じさせることなく容易に取り付けることができる。
【００６７】
図４（ａ），（ｂ），（ｃ）は、それぞれ本実施形態のロールスクリーン１における一実施例のフィン９の動作例を個別に説明する側面図である。
【００６８】
図４（ａ）に示すように、本実施例のフィン９は、取付フレーム２の前側面から前方へ長さａで屈曲して突出する支持板部９３と、支持板部９３から下方へ長さｂで延びる遮蔽板部９４とにより、全体として略Ｌ字状の断面形状を有している。
【００６９】
遮蔽板部９４の長さｂは、取付フレーム２と巻取パイプ３との間の隙間から生じる光漏れを防ぐ長さで形成されている。支持板部９３の長さａは、操作コード７の操作に悪影響を与えない範囲に設定されている。仮に、本実施例のフィン９に操作コード７が接触するように操作する場合でも、フィン９は回動するため操作負担を生じさせないようになっている。
【００７０】
また、図４（ｂ）に示すように、本実施例のフィン９を、スクリーン４の最大巻取径Ｓが比較的小さいロールスクリーン１に適用する場合では、スクリーン４とフィン９とが接触することが無く、その基本姿勢として、フィン９の遮蔽板部９４の長手方向が取付フレーム２の前後方向に対しほぼ垂直な状態（鉛直方向への垂下となる状態）を維持しつつ遮光機能を保持できる。
【００７１】
一方、図４（ｃ）に示すように、本実施例のフィン９を、スクリーン４の最大巻取径Ｓが比較的大きいロールスクリーン１に適用する場合では、スクリーン４とフィン９とが接触する場合でも、スクリーン４の巻太りに倣ってフィン９を回動させることができ、その遮光機能を保持できる。
【００７２】
また、図５（ａ），（ｂ），（ｃ）には、フィン９を別の実施形態のロールスクリーン１に適用した際の構成を示している。
【００７３】
図５（ａ）に示す例では、本実施例のフィン９側に巻取パイプ３からスクリーン４を垂下し、フィン９と巻取パイプ３との間にウェイトバー５が位置する例である。このような場合、本実施例のフィン９には、支持板部９３から下方へ延びる遮蔽板部９４の下端に曲面形状の干渉緩和部９５が形成されているため、ウェイトバー５との干渉で引っ掛かりを生じることがない。
【００７４】
また、図５（ｂ）に示すように、ウェイトバー５の上限位置が取付フレーム２へ当接する位置に設定されている場合でも、フィン９における干渉緩和部９５から遮蔽板部９４にかけてウェイトバー５がスムーズに移動してフィン９が回動するため、その操作性を損ねることが無い。また、図３（ｂ）を参照して説明したように、フィン９に設けられる軸部９１の付け根近傍には、当接部９７が形成されており、当接部９７は、当該基本姿勢からフィン９が回動した際に回動規制片２０ｂと当接することでフィン９の上方への回動を規制している。これにより、フィン９がブラケット６やその取付面に対し非当接となり、ウェイトバー５の衝突でフィン９が破損するおそれもない。従って、フィン９をロールスクリーン１の取付フレーム２に取り付けた場合の操作性を損なうことなく、その品質を維持することができる。
【００７５】
また、図５（ｃ）に示すように、フィン９の遮蔽板部９４の長手方向が取付フレーム２の前後方向に対しほぼ垂直な状態（鉛直方向への垂下となる状態）となる基本姿勢を常に維持させたい場合には、操作コード７上に取着した移動制限部材１２の位置を調整することで、この移動制限部材１２により操作プーリー８等に当接させてその回転を停止させ、ウェイトバー５の上限位置を定めることができる。これにより、フィン９がブラケット６やその取付面に対し非当接となり、ウェイトバー５の衝突でフィン９が破損するおそれもない。そして、常時、フィン９の遮蔽板部９４の長手方向が取付フレーム２の前後方向に対しほぼ垂直な状態（鉛直方向への垂下となる状態）となる基本姿勢を維持させることができ、その意匠性及び品質を維持することができる。
【００７６】
従って、フィン９は、種々のロールスクリーン１の取付フレーム２に取り付けることが可能であり、尚且つその操作性や品質、或いは意匠性に悪影響を及ぼすことが無いものとなっている。
【００７７】
また、このようなフィン９は、ロールスクリーン以外にも枠体の下方の遮光性や遮風性を高める用途に利用できる。また、フィン９に生地１３を取着することで、正面視の意匠性をより向上させることができる。
【００７８】
ただし、フィン９の設置でロールスクリーン１の正面視の意匠性を向上させることができても、側面視した場合、フィン９があることで却って側面視の意匠性を損なう結果となることがある。また、フィン９に生地１３を取着する場合にも、物流時や操作時、或いは経時的な理由等でその生地ずれが生じ意匠性を損なうことがあり、この生地ずれを抑制する必要がある。
【００７９】
そこで、本発明では、図１に示すように、フィン９の右側端部にはサイドカバー１０ａを設け、フィン９の左側端部にはサイドカバー１０ｂを設けることとしている。サイドカバー１０ａとサイドカバー１０ｂは、互いに対称形状をしているが同一構造であることから、区別する必要が無いときは総括してサイドカバー１０と称する。
【００８０】
ここで、サイドカバー１０は、上述したフィン９の機能を損なうことなく、むしろ向上させ、尚且つ側面視した場合の意匠性を向上させるよう構成されている。
【００８１】
以下、図面を参照して実施例１，２のサイドカバー１０を順に説明する。
【００８２】
（実施例１のサインドカバー）
図６（ａ）,（ｂ）は、それぞれ本発明による実施例１のサイドカバー１０ａの周辺構成を部分的に示す斜視図と、サイドカバー１０ａの組み付け位置を示す斜視図である。
【００８３】
まず、図６（ａ）に示すように、実施例１のサインドカバー１０は、フィン９の側端部を覆う部位１１０と、支持部材２ａの側面を概ね覆う部位１２０とが連なる形状を有している。そして、詳細に後述するが、図６（ｂ）に示すように、フィン９の側端部を覆う部位１１０のみがフィン９の側端部と係合し、部位１２０はフィン９や支持部材２ａとは係合しないものとなっている。
【００８４】
特に、実施例１のサインドカバー１０は、フィン９の側端部を覆う部位１１０と、この部位１１０に連なる略平板状の部位１２０とを有して、部位１２０は、部位１１０におけるフィン９の側端部を覆う面積よりも大きい面積を有している。このため、図６（ａ）に示す外観は、図６（ｂ）にて理解されるように、サインドカバー１０（１０ａ）が無いときを想定したきの外観と比較して、その意匠性が著しく向上する。
【００８５】
次に、実施例１のサインドカバー１０の詳細な構造について、図７及び図８を参照して説明する。図７は、本発明による実施例１のサイドカバー１０について、フィンに対し取り付け可能とする詳細な構造を示す斜視図である。また、図８（ａ）,（ｂ）は、それぞれ本発明による実施例１のサイドカバーの構成を示す側面図及び平面図である。
【００８６】
実施例１のサイドカバー１０は、前述したように、フィン９の側端部を覆う部位１１０と、支持部材２ａの側面を概ね覆う部位１２０とが連なる形状を有している。そして、フィン９の側端部を覆う部位１１０のみがフィン９の側端部と係合し、部位１２０はフィン９や支持部材２ａとは係合しないものとなっている。
【００８７】
部位１２０は、図示するように平板状の形状を有し、部位１１０と連なる形状とし、その補強のためのリブ１２０ｂや、フィン９にサイドカバー１０を係合取着したときの干渉を緩和するために、フィン９における軸部９１、曲部９２及び曲部９２の形状にほぼ合致する肉盛り部１２０ａが適所に設けられている。尚、図８（ａ）（並びに後述する図９（ａ）,（ｂ）及び図１１（ｂ））に示すように、部位１２０の内面上のリブ１２０ｂの角部に、円柱補強された回動規制部１２１が形成されている。フィン９には、図３（ａ）にて説明したように、当該基本姿勢を保つためフィン９の下方への回動を規制する突起部９８が設けられているが、このフィン９の回動規制部１２１による回動規制を補助するために、回動規制部１２１が形成されている。換言すれば、フィン９に回動規制部１２１が設けられていない場合でも、このフィン９における回動規制部１２１によって、フィン９の当該基本姿勢を保つことができるようになっている。
【００８８】
一方、部位１１０は、主要な構成要素として、フィン９における遮蔽板部９４の側端部と係合する収容部１１１と、収容部１１１から突出する上側外れ防止片１１３及び下側外れ防止片１１４と、収容部１１１の上方に連なる前後一対の軸押さえ片１１６と、収容部１１１から部位１２０と並行して後方に突出する返し部１１８とを有し、これによりフィン９の側端部を収容可能としている。尚、図８（ａ）（並びに後述する図９（ａ）,（ｂ）及び図１２）に示すように、前側の軸押さえ片１１６は、フィン９の上方への回動を規制する機能を有する。フィン９には、図３（ｂ）にて説明したように、フィン９の上方への回動を規制するため当接部９７が設けられているが、このフィン９の当接部９７による回動規制を補助することができる。換言すれば、フィン９に当接部９７が設けられていない場合でも、このフィン９における前側の軸押さえ片１１６によって、フィン９の上方への回動を規制することができるようになっている。
【００８９】
収容部１１１内には適所に生地押さえ１１９が設けられ、尚且つ複数の第１係合突起部１１２が設けられている（図７及び図８（ａ）参照）。複数の第１係合突起部１１２は、フィン９における遮蔽板部９４の上方と突起片９６ａとをその両側から押さえ付けるようにして係合する。これにより、フィン９に生地１３を取着するとき、実施例１のサイドカバー１０は、フィン９における突起片９６ａの内側に位置する爪部９９によって生地１３の上端を掴持する際の掴持力を助力することができ、例えば薄地の生地１３であっても、確実に生地１３をフィン９に掴持させることができる。また、生地押さえ１１９は、収容部１１１の補強作用と、フィン９に取着される生地１３を押さえる機能を有し、生地１３の撓みを抑制できる。このように、実施例１のサイドカバー１０は、フィン９の前面に生地１２が取着されているとき、フィン９の側端部を収容する収容部１１１に、生地押さえ１１９、第１係合突起部１１２、及び収容部１１１の側面形状等により、生地１３に対する生地止めが設けられている。このため、実施例１のサイドカバー１０は、フィン９の機能をより向上させることができる。
【００９０】
また、上側外れ防止片１１３及び下側外れ防止片１１４は、それぞれフィン９における支持板部９３をその上下両側に位置して収容部１１１から突出している。上側外れ防止片１１３及び下側外れ防止片１１４は、実施例１のサイドカバー１０をフィン９の側端部に係合させたときに、部位１２０に対し左右方向に働く外力が生じてもサイドカバー１０がフィン９から容易には外れにくくする機能を有する（詳細は後述する）。
【００９１】
そして、本例では上側外れ防止片１１３の下面に複数の第２係合突起部１１５が設けられている。複数の第２係合突起部１１５は、当該上側外れ防止片１１３及び下側外れ防止片１１４によって挟み込まれるフィン９における支持板部９３をその上下両側から保持する機能を助力している。これにより、比較的大きいサイズの部位１２０と連なる部位１１０を有するサイドカバー１０をフィン９から容易には外れにくくしている。
【００９２】
前後一対の軸押さえ片１１６は、収容部１１１の上方に連なって、フィン９における軸部９１の付け根近傍の当接部９７と支持板部９３との間の部位をその両側から挟み込み、サイドカバー１０をフィン９に係合させたときのガタツキを抑制するとともに、外観としての意匠性を向上させるものとなっている。
【００９３】
返し部１１８は、収容部１１１から部位１２０と並行して後方に突出するよう形成され、図７及び図８（ｂ）に示すように、部位１２０と略平行な保持部１１８ａと、保持部１１８ａと連なって、部位１２０に対し傾斜する傾斜部１１８ｂとを有するように構成されている。
【００９４】
この返し部１１８の機能について図９を参照して説明する。図９（ａ）,（ｂ）は、それぞれ本発明による実施例１のサイドカバー１０の動作と着脱方法を示す側面図である。尚、本発明の理解を高めるために、図９（ａ）,（ｂ）では、支持部材２ｂとサイドカバー１０ｂとの関係を図示している。
【００９５】
まず、前述したように、実施例１のサイドカバー１０は、フィン９の側端部を覆う部位１１０と、支持部材２ａの側面を概ね覆う部位１２０とが連なる形状を有しており、部位１１０のみがフィン９の側端部と係合し、部位１２０はフィン９や支持部材２ａとは係合しないものとなっている。
【００９６】
そして、フィン９は、図３（ａ）に示したように、その基本姿勢として、フィン９の遮蔽板部９４の長手方向が取付フレーム２の前後方向に対しほぼ垂直（鉛直方向への垂下）になるように規制されている。一方で、フィン９は、図３（ｂ）に示したように、当該基本姿勢から所定の回動角度（最大回動角度θとして図９（ｂ）に図示）まで回動できるようになっている。特に、実施例１のサイドカバー１０は、前述したように、部位１２０の内面上のリブ１２０ｂの角部にて円柱補強された回動規制部１２１と、部位１１０の上部にて前側の軸押さえ片１１６が形成されているため、フィン９の回動角度は、当該基本姿勢から最大回動角度θの間に確実に規制される。
【００９７】
従って、フィン９が、図９（ａ）に示す基本姿勢から、図９（ｂ）に示す最大回動角度θまで回動すると、この回動に伴って実施例１のサイドカバー１０も一体となって回動する。このフィン９の回動は、主にスクリーン４の巻き取り又は巻き戻し操作時によるものであり、静止時（巻き取り操作停止時）の多くの使用状況下では、図９（ａ）に示す状態にある。このため、フィン９が当該基本姿勢から所定の回動角度で回動した場合でも、取付フレーム２の下面と巻取パイプ３との間からの光漏れを防止することができる。
【００９８】
図９（ａ）に示すように、フィン９が基本姿勢にあるとき、返し部１１８における保持部１１８ａ（図７及び図８（ｂ）参照）によって、支持部材２ｂに押さえ込まれているため、実施例１のサイドカバー１０（１０ｂ）は外力が生じても容易にはフィン９から外れないようになっている。
【００９９】
一方、図９（ｂ）に示すように、本例では、フィン９が最大回動角度θで回動状態にあるとき、実施例１のサイドカバー１０（１０ｂ）は、軸押さえ片１１６が支持部材２ｂと当接する状態になり外力が生じても容易にはフィン９から外れない。しかし、フィン９が最大回動角度θ近傍となる所定の回動角度（最大回動角度θより少し小さい回動角度）の状態にあるとき、返し部１１８における保持部１１８ａによる支持部材２ｂの押さえ込みが解除され、返し部１１８における傾斜部１１８ｂ（図７及び図８（ｂ）参照）によって、実施例１のサイドカバー１０（１０ｂ）をフィン９から意図的に取り外すことができる。従って、実施例１のサイドカバー１０（１０ａ，１０ｂ）は、フィン９の回動状態によって、取付フレーム２に接続される支持部材２ａ，２ｂに対し、フィン９からの外れ防止となるよう係合する係合モードと、該係合を解除する非係合モードとを切替可能とする外れ防止用の返し部１１８を備えたものとなっている。
【０１００】
そして、操作上でフィン９が回動し最大回動角度θとなる場合でも、上述した上側外れ防止片１１３及び下側外れ防止片１１４があるため容易には外れないものとなっている。仮に当該最大回動角度θで外れ気味になった状態でも、その操作の停止でフィン９が基本姿勢に戻ると、返し部１１８における傾斜部１１８ｂは保持部１１８ａと連なっているため、自動的に安定した係合状態に戻るようになっている。
【０１０１】
尚、実施例１のサイドカバー１０（１０ｂ）は、フィン９の側端部を覆うものであればよく、フィン９が基本姿勢にあるときに、図１０（ａ）に示すように支持部材２ｂを完全に覆う形状とすることができるだけでなく、図１０（ｂ）に示すように支持部材２ｂの下方一部が露出する場合でも、その意匠性の向上、及びフィン９の機能の向上は保たれる。
【０１０２】
図１１（ａ）にはフィン９が基本姿勢にあるときのフィン９の内側から見たサイドカバー１０（１０ａ）の概略的な斜視図を示しており、図１１（ｂ）にはフィン９が最大回動角度θ近傍となる所定の回動角度（最大回動角度θより少し小さい回動角度）の状態にあるときのフィン９の内側から見たサイドカバー１０（１０ａ）の概略的な斜視図を示している。図１１（ａ）に示すようにフィン９が基本姿勢にあれば、サイドカバー１０がフィン９から外れにくく、図１１（ｂ）に示すようにフィン９が最大回動角度θ近傍となる所定の回動角度（最大回動角度θより少し小さい回動角度）の状態にあれば、サイドカバー１０をフィン９から意図的に取り外すことができることが良く理解される。
【０１０３】
尚、サイドカバー１０をフィン９に係合させた状態では、軸押さえ片１１６は、図７及び図８（ｂ）に示されるように、部位１２０から離れた位置（支持部材２ａ（２ｂ）の厚みより僅かに大きく離れた位置）に形成され、フィン９が基本姿勢から最大回動角度θまで回動する任意の状態で、常に、支持部材２ａ（２ｂ）との回動干渉を避ける干渉避け部１１７が設けられている（図１２参照）。特に、図１２に示すように、実施例１のサイドカバー１０は、前述したように、部位１１０の上部にて前側の軸押さえ片１１６が形成されているため、この前側の軸押さえ片１１６が取付フレーム２における回動規制片２０ｂと当接可能となっているため、フィン９の最大回動角度θは確実に規制される。
【０１０４】
即ち、サイドカバー１０は、フィン９が基本姿勢から最大回動角度θまで回動する任意の状態で、常に、支持部材２ａ（２ｂ）との回動干渉を避けるように構成されているため、上述したように意図的に取り外す以外には、操作上でサイドカバー１０がフィン９から外れにくいものとしている。
【０１０５】
そして、実施例１のサイドカバー１０には、上側外れ防止片１１３及び下側外れ防止片１１４が設けられているため、図１３に示すように、サイドカバー１０における部位１２０との干渉の無い操作コード７の操作（図示Ａ方向）の場合に限らず、サイドカバー１０における部位１２０との干渉の有る操作コード７の操作（図示Ｂ方向）の場合にも、操作上でサイドカバー１０がフィン９から外れにくいものとしている。即ち、サイドカバー１０における外れ防止手段（上側外れ防止片１１３及び下側外れ防止片１１４）は、操作コード７による上方・引き方向の操作時に、操作コード７との抵触部位（下端部１２０ｄ）を有する。
【０１０６】
即ち、実施例１のサイドカバー１０は、ボールチェーンなどの操作コード７を斜めに操作時（図１３における図示Ｂ方向）に、サイドカバー１０における部位１２０（特に、図１２及び図１３に図示する部位１２０の下端部１２０ｄ）と干渉することがある。このような場合にも、実施例１のサイドカバー１０には、上側外れ防止片１１３及び下側外れ防止片１１４が設けられているため、サイドカバー１０がフィン９から外れにくいものとなっている。換言すると、操作コード７をボールチェーンで構成している場合など、当該斜めに操作（図１２における図示Ｂ方向）した際に、部位１２０の下端部１２０ｄに操作コード７が接触して音が鳴ると、この音が鳴ることによって斜め操作しているとの警告音となり、サイドカバー１０やボールチェーン等の破損予防の効果が生じるようになる。即ち、部位１２０は、操作コード７の外向斜め操作時に操作コード７との接触部位（下端部１２０ｄ）を有する。
【０１０７】
従って、実施例１のサイドカバー１０は、フィン９の側端部の一部を押さえ付けて係合する外れ防止手段（上側外れ防止片１１３及び下側外れ防止片１１４）を有するため、特に部位１２０に働く外力（特に斜め方向の外力）に対する耐性を持つようになる。
【０１０８】
更に、実施例１のサイドカバー１０は、図９（ａ）にも示されるように、収容部１１１内の適所に生地押さえ１１９と複数の第１係合突起部１１２を設ける構成とすることで、フィン９に生地１３を取着するとき例え薄地の生地１３であっても、確実に生地１３をフィン９に掴持させるとともに生地１３の撓みを抑制させることができ、フィン９の機能をより向上させることができる。
【０１０９】
また、実施例１のサイドカバー１０は、図１４（ａ）にも示されるように、部位１１０の正面視の形状として、上側保持部１１０ｂと下側保持部１１０ｃとの間に凹部１１０ａを設けている。上側保持部１１０ｂは生地１３の上端と係合するフィン９の突起片９６ａの掴持力を高め、下側保持部１１０ｃは生地１３の下端と係合するフィン９の突起片９６ｂによるバタツキの抑止力を高めるのに必要な幅を有している。一方、凹部１１０ａは、サイドカバー１０を設ける場合でもできる限り生地１３を露出させ（図中破線は生地１３の領域）、意匠性を向上させるよう形成されている。
【０１１０】
即ち、サイドカバー１０は、フィン９による生地１３の保持力を強化する観点のみを考量すれば、部位１１０の正面視の形状として、図１４（ｂ）にも示されるように、上側保持部１１０ｂと下側保持部１１０ｃとを直線状に連なる形状とし、凹部１１０ａを設けない構成とすることも可能である。しかしながら、部位１１０の正面視の形状として凹部１１０ａを設けることにより、図１４（ａ）と図１４（ｂ）の比較、或いは図１を参照して理解されるように、フィン９による生地１３の保持力を強化するのみならず、より一層、意匠性を向上させることができる。
【０１１１】
また、実施例１のサイドカバー１０の変形例として、例えばフィン９の回動をロックしてその側端部を覆いたいとき、又は回動不能に構成されるフィン（図示せず）の側端部を覆いたいときには、図１５に示すように、部位１２０に支持部材２ａ（２ｂ）の側端部の少なくとも一部を保持するための保持壁１２０ｃを更に設けた構成とすることもできる。
【０１１２】
従って、実施例１のサイドカバー１０は、フィン９に係わる意匠性を向上させ、所定の生地１３をフィン９に取着する際にはその生地ずれを抑制させることができる。特に、実施例１のサイドカバー１０は、フィン９と支持部材２ａ（２ｂ）との間を連なって覆う構成となっているため、その隙間がなく意匠性が高いものとなる。
【０１１３】
また、実施例１のサイドカバー１０は、フィン９に対し着脱可能とし、尚且つフィン９から容易には外れないようにしており、メンテナンス性を保持しつつ操作性を妨げないものとなる。即ち、実施例１のサイドカバー１０は、当該基本姿勢にあるフィン９に対しては取り外し不能とし、最大回動角度θ近傍となる所定の回動角度（最大回動角度θより少し小さい回動角度）にあるフィン９に対しては取り外し可能としているため、ロールスクリーン１の設置後の品質上の信頼性とメンテナンス性との両立が実現される。
【０１１４】
（更なる変形例）
尚、部位１１０によって基本姿勢時のフィン９の側端部を覆い、部位１２０によって支持部材２ａ（２ｂ）の一側面を覆うことにより、その意匠性を向上させることを主目的とする観点からは、図１６及び図１７に示すような構成とすることができる。
【０１１５】
図１６（ａ）,（ｂ）は、それぞれ本発明による更なる変形例のサイドカバー１０の周辺構成を部分的に示す斜視図と、当該変形例のサイドカバー１０の組み付け位置を示す斜視図である。また、その更なる変形として、図１７（ａ）,（ｂ）は、それぞれ本発明による更なる変形例のサイドカバー１０の周辺構成を部分的に示す斜視図と、当該変形例のサイドカバー１０の組み付け位置を示す斜視図である。尚、同様な構成要素には同一の参照番号を付している。
【０１１６】
まず、図１６に示す変形例のサイドカバー１０について説明する。図１６に示す変形例のサイドカバー１０は、基本姿勢時のフィン９の側端部を覆う略平板状の部位１１０と、支持部材２ａの側面の全部（ただし支持部材２ａの一部が露出してもよい）を覆う部位１２０とが連なる形状を有している。そして、図１６（ｂ）に示すように、部位１２０のみが支持部材２ａの側端部と係合し、部位１１０はフィン９や支持部材２ａとは係合しないものとなっている。
【０１１７】
このため、図１６（ａ）に示す外観は、図１６（ｂ）にて理解されるように、サインドカバー１０（１０ａ）が無いときを想定したきの外観と比較して、その意匠性が著しく向上する。
【０１１８】
また、図１６に示す変形例のサイドカバー１０を更に変形して、図１７に示すようにサイドカバー１０を構成することもできる。図１７に示す変形例のサイドカバー１０についても、基本姿勢時のフィン９の側端部を覆う略平板状の部位１１０と、支持部材２ａの側面の全部（ただし支持部材２ａの一部が露出してもよい）を覆う部位１２０とが連なる形状を有している。そして、図１７（ｂ）に示すように、部位１２０のみが支持部材２ａの側端部と係合し、部位１１０はフィン９や支持部材２ａとは係合しないものとなっている。
【０１１９】
このため、図１７（ａ）に示す外観は、図１７（ｂ）にて理解されるように、サインドカバー１０（１０ａ）が無いときを想定したきの外観と比較して、その意匠性が著しく向上する。
【０１２０】
ただし、図１７に示す例では、フィン９が当該基本姿勢から所定の回動角度θａで回動した場合でも、部位１１０がフィン９の側端部を覆うことができるようにしている。この回動角度θａは、最大回動角度θと同じくしてもよいが、フィン９の実用上の回動角度とすればよい（０＜θａ≦θ）。
【０１２１】
即ち、図１７に示す例では、フィン９が当該基本姿勢から所定の回動角度θａで回動した場合でも、取付フレーム２の下面と巻取パイプ３との間からの光漏れを防止することができる。
【０１２２】
（実施例２のサインドカバー）
次に、図１８乃至図２１を参照して、実施例２のサインドカバー１０を説明する。尚、実施例１と同様に機能する構成要素には同一の参照番号を付している。
【０１２３】
図１８は、本発明による実施例２のサイドカバー１０の周辺構成を部分的に示し、そのサイドカバー１０の組み付け位置を示す斜視図である。また、図１９（ａ）は、本発明による実施例２のサイドカバー１０の詳細な構造を示す斜視図である。尚、図１９（ｂ）は、その変形例を示す斜視図であり、詳細は後述する。
【０１２４】
上述した実施例１のサインドカバー１０では、フィン９の側端部を覆う部位１１０と、支持部材２ａの側面を概ね覆う部位１２０とが連なる形状を有している例を説明したが、実施例２のサインドカバー１０は、形状が異なるもののフィン９の側端部を覆う部位１１０と、この部位１１０と連なる部位１３０とを有している。実施例２のサインドカバー１０は、実施例１の部位１２０の代わりに部位１３０が設けられる点で特に相違している。部位１３０は、支持部材２ａの側面を覆うカバー１００に対し当該基本姿勢で近接又は密着させる形状としている（図２１（ａ）参照）。
【０１２５】
そして、図２１（ａ）に示す外観は、図１８にて理解されるように、サインドカバー１０（１０ａ）が無いときを想定したきの外観と比較して、その意匠性が著しく向上する。
【０１２６】
実施例２のサインドカバー１０においても、フィン９の側端部を覆う部位１１０のみがフィン９の側端部と係合し、部位１３０はフィン９や支持部材２ａ、或いはカバー１００とは係合しないものとなっている。
【０１２７】
まず、実施例２のサインドカバー１０の詳細な構造について、図１８及び図１９（ａ）を参照して説明する。
【０１２８】
実施例２のサインドカバー１０における部位１３０は、図１９（ａ）に示すように平板状の形状を有し、部位１１０と連なる形状とし、その補強のために、縁部にリブ１３０ｂが設けられている。
【０１２９】
一方、部位１１０は、主要な構成要素として、フィン９における遮蔽板部９４の側端部と係合する収容部１１１と、収容部１１１と連なって形成される上側外れ防止壁１１３ａ及び下側外れ防止壁１１４ａと、収容部１１１の上方に連なって前方にのみ形成される軸押さえ片１１６と、収容部１１１から部位１３０と並行して後方に突出する返し部１１８とを有し、これによりフィン９の側端部を収容可能としている。
【０１３０】
尚、実施例２のサインドカバー１０では、軸押さえ片１１６と返し部１１８とを縦壁で連なる形状とし、このため、図１８に示すように、支持部材２ａ（２ｂ）又はカバー１００との干渉避ける干渉避け部１１７が形成される。
【０１３１】
実施例２のサインドカバー１０においても、実施例１と同様、図１９（ａ）に示すように、収容部１１１内には適所に生地押さえ１１９が設けられ、尚且つ複数の第１係合突起部１１２が設けられている。複数の第１係合突起部１１２は、フィン９における遮蔽板部９４の上方と突起片９６ａとをその両側から押さえ付けるようにして係合する。これにより、フィン９に生地１３を取着するとき、実施例２のサイドカバー１０は、フィン９における突起片９６ａの内側に位置する爪部９９によって生地１３の上端を掴持する際の掴持力を助力することができ、例えば薄地の生地１３であっても、確実に生地１３をフィン９に掴持させることができる。また、生地押さえ１１９は、収容部１１１の補強作用と、フィン９に取着される生地１３を押さえる機能を有し、生地１３の撓みを抑制できる。このように、実施例２のサイドカバー１０においても、フィン９の前面に生地１２が取着されているとき、フィン９の側端部を収容する収容部１１１に、生地押さえ１１９、第１係合突起部１１２、及び収容部１１１の側面形状等により、生地１３に対する生地止めが設けられている。このため、実施例１のサイドカバー１０は、フィン９の機能をより向上させることができる。
【０１３２】
また、上側外れ防止壁１１３ａ及び下側外れ防止壁１１４ａは、実施例１のような部位１２０を設ける構成ではないことから形状が異なるものの、実施例２のサイドカバー１０をフィン９の側端部に係合させたときに、サイドカバー１０がフィン９から容易には外れにくくする機能を有する。
【０１３３】
そして、本例では上側外れ防止壁１１３ａの下面に複数の第２係合突起部１１５が設けられている。複数の第２係合突起部１１５は、当該上側外れ防止壁１１３ａ及び下側外れ防止壁１１４ａによって挟み込まれるフィン９における支持板部９３をその上下両側から保持する機能を助力している。
【０１３４】
尚、実施例２のサイドカバー１０は、図１９（ａ）に示すように、前述した実施例１と同様に機能する複数の第１係合突起部１１２及び複数の第２係合突起部１１５を設ける例とし、フィン９からの外れ防止機能として十分に働く好適例を示している。しかしながら、これらの第１及び第２突起部１１２，１１５は、フィン９の形状に合わせて適宜変更可能である。例えば図１９（ｂ）に示す変形例のように、図１９（ａ）に示す実施例２とは異なる位置で複数の第１係合突起部１１２を適所に配設し、第２係合突起部１１５については設けない構造としてもよく、少なくともサイドカバー１０がフィン９と係合し保持するものであればよい。この点は、実施例１のサイドカバー１０についても同様である。
【０１３５】
また、実施例２のサイドカバー１０では、実施例１の部位１２０と比較して詳細の部位１３０とすることから、前方に１つの軸押さえ片１１６として構成しているが、実施例１と同様に、前後一対の軸押さえ片１１６として構成してもよい。軸押さえ片１１６は、サイドカバー１０をフィン９に係合させたときのガタツキを抑制するとともに、外観としての意匠性を向上させるものとなっている。
【０１３６】
実施例２のサイドカバー１０における返し部１１８は、実施例１の返し部１１８とは形状が異なるものの、実施例１のものと同様に機能する。
【０１３７】
実施例２における返し部１１８の機能について図２０を参照して説明する。図２０（ａ）,（ｂ）は、それぞれ本発明による実施例２のサイドカバー１０の動作と着脱方法を示す側面図である。尚、本発明の理解を高めるために、図２０（ａ）,（ｂ）では、支持部材２ｂとサイドカバー１０ｂとの関係を図示している。
【０１３８】
まず、前述したように、実施例２のサイドカバー１０は、フィン９の側端部を覆う部位１１０と、支持部材２ａの側面を覆うカバー１００に対し当該基本姿勢で近接又は密着させる部位１３０とが連なる形状を有しており、部位１１０のみがフィン９の側端部と係合し、部位１３０はフィン９や支持部材２ａ、或いはカバー１００とは係合しないものとなっている。
【０１３９】
そして、フィン９は、図３（ａ）に示したように、その基本姿勢として、フィン９の遮蔽板部９４の長手方向が取付フレーム２の前後方向に対しほぼ垂直（鉛直方向への垂下）になるように規制されている。一方で、フィン９は、図３（ｂ）に示したように、当該基本姿勢から所定の回動角度（最大回動角度θとして図２０（ｂ）に図示）まで回動できるようになっている。
【０１４０】
従って、フィン９が、図２０（ａ）に示す基本姿勢から、図２０（ｂ）に示す最大回動角度θまで回動すると、この回動に伴って実施例２のサイドカバー１０も一体となって回動する。このフィン９の回動は、主にスクリーン４の巻き取り又は巻き戻し操作時によるものであり、静止時（巻き取り操作停止時）の多くの使用状況下では、図２０（ａ）に示す状態にある。
【０１４１】
図２０（ａ）に示すように、フィン９が基本姿勢にあるとき、返し部１１８によって、支持部材２ｂに押さえ込まれているため、実施例１のサイドカバー１０（１０ｂ）は外力が生じても容易にはフィン９から外れないようになっている。
【０１４２】
一方、図２０（ｂ）に示すように、本例においても、実施例１と同様に、フィン９が最大回動角度θで回動状態にあるとき、実施例２のサイドカバー１０（１０ｂ）は、軸押さえ片１１６が支持部材２ｂと当接する状態になり外力が生じても容易にはフィン９から外れない。また、実施例１と同様に、フィン９が最大回動角度θ近傍となる所定の回動角度（最大回動角度θより少し小さい回動角度）の状態にあるとき、返し部１１８による支持部材２ｂの押さえ込みが解除され、実施例２のサイドカバー１０（１０ｂ）をフィン９から意図的に取り外すことができるよう構成することができる。従って、実施例２のサイドカバー１０（１０ａ，１０ｂ）においても、フィン９の回動状態によって、取付フレーム２に接続される支持部材２ａ，２ｂに対し、フィン９からの外れ防止となるよう係合する係合モードと、該係合を解除する非係合モードとを切替可能とする外れ防止用の返し部１１８を備えたものとすることができる。
【０１４３】
そして、操作上でフィン９が回動し最大回動角度θとなる場合でも、上側外れ防止壁１１３ａ及び下側外れ防止壁１１４ａがあるため容易には外れないものとなっている。仮に当該最大回動角度θで外れ気味になった状態でも、その操作の停止でフィン９が基本姿勢に戻ると、返し部１１８により、自動的に安定した係合状態に戻るようになっている。従って、実施例２のサイドカバー１０は、フィン９の側端部の一部を押さえ付けて係合する外れ防止手段（上側外れ防止壁１１３ａ及び下側外れ防止壁１１４ａ）を有するため、特に部位１３０に働く外力（特に斜め方向の外力）に対する耐性を持つようになる。
【０１４４】
ただし、実施例２のサイドカバー１０の場合では、操作時に操作コード７が部位１３０と干渉する可能性が小さいため、実施例１の構成よりもサイドカバー１０がフィン９から外れにくいものとなる。
【０１４５】
そして、実施例２のサイドカバー１０をフィン９に係合させた状態では、軸押さえ片１１６は、図２０に示されるように、フィン９が基本姿勢から最大回動角度θまで回動する任意の状態で、常に、支持部材２ａ（２ｂ）やカバー１００との回動干渉を避ける干渉避け部１１７が設けられている（図２１（ｂ）参照）。
【０１４６】
即ち、実施例２のサイドカバー１０においても、フィン９が基本姿勢から最大回動角度θまで回動する任意の状態で、常に、支持部材２ａ（２ｂ）やカバー１００との回動干渉を避けるように構成されているため、上述したように意図的に取り外す以外には、操作上でサイドカバー１０がフィン９から外れにくいものとしている。
【０１４７】
そして、実施例２のサイドカバー１０には、上側外れ防止壁１１３ａ及び下側外れ防止壁１１４ａが設けられているため、操作上で更にサイドカバー１０がフィン９から外れにくいものとしている。
【０１４８】
また、実施例２のサイドカバー１０は、図１９（ａ）にも示されるように、収容部１１１内の適所に生地押さえ１１９と複数の第１係合突起部１１２を設ける構成とすることで、フィン９に生地１３を取着するとき例え薄地の生地１３であっても、確実に生地１３をフィン９に掴持させるとともに生地１３の撓みを抑制させることができ、フィン９の機能をより向上させることができる。
【０１４９】
従って、実施例２のサイドカバー１０においても、フィン９に係わる意匠性を向上させ、所定の生地１３をフィン９に取着する際にはその生地ずれを抑制させることができる。特に、実施例２のサイドカバー１０は、支持部材２ａ（２ｂ）用のカバー１００とは分離させているため、支持部材２ａ（２ｂ）のサイズに関わらず、その意匠性をほぼ同じくすることができる。
【０１５０】
また、実施例２のサイドカバー１０においても、フィン９に対し着脱可能とし、尚且つフィン９から容易には外れないようにしており、メンテナンス性を保持しつつ操作性を妨げないものとなる。即ち、実施例２のサイドカバー１０においても、当該基本姿勢にあるフィン９に対しては取り外し不能とし、最大回動角度θ近傍となる所定の回動角度（最大回動角度θより少し小さい回動角度）にあるフィン９に対しては取り外し可能とすることができるため、ロールスクリーン１の設置後の品質上の信頼性とメンテナンス性との両立が実現される。
【０１５１】
また、実施例２のサイドカバー１０においても、部位１１０の正面視の形状として、実施例１のサイドカバー１０における図１４（ａ）に示すように凹部１１０ａを設ける構成とすることができる。これにより、実施例２のサイドカバー１０においても、フィン９による生地１３の保持力を強化するのみならず、より一層、意匠性を向上させることができる。
【０１５２】
以上、特定の実施形態の例を挙げて本発明を説明したが、本発明は前述の実施形態の例に限定されるものではなく、その技術思想を逸脱しない範囲で種々変形可能である。特に、フィン９の軸部９１の形状・構造や、係止する方法はその一例を説明したにすぎず、例えばフィン９の軸部９１を丸軸等で形成してもよいし、フィン９の軸部９１を、例えばロールスクリーンであれば、枠体としての取付フレーム２に支持するではなく支持部材２ａ，２ｂに支持する構成とすることもできる。
【０１５３】
また、フィン９は、枠体に対し回動可能とする構成とする以外にも回動不能に固定するものでもよい。更に、フィン９は、枠体に対し回動する形態に限らず、枠体に対しスライドする形態など、任意の可動形態とすることもできる。
【０１５４】
また、ロールスクリーンに限らず、横型ブラインド、たくし上げカーテン、プリーツスクリーン等の遮蔽装置に設けられるフィン９の側端部に対し、本発明に係るサイドカバー１０を係着するよう構成することができる。
【産業上の利用可能性】
【０１５５】
本発明によれば、フィンに係わる意匠性を向上させ、所定の生地をフィンに取着する際にはその生地ずれを抑制することができるので、フィンを利用可能なロールスクリーン等の遮蔽装置の用途に有用である。
【符号の説明】
【０１５６】
１  ロールスクリーン
２  取付フレーム
２ａ，２ｂ  支持部材
３  巻取パイプ
４  スクリーン
５  ウェイトバー
９  フィン
１０  フィン用のサイドカバー
２０  軸受部
２０ａ，２０ｂ  回動規制片
９１  フィンの軸部
９２  フィンの曲部
９３  フィンの支持板部
９４  フィンの遮蔽板部
９５  フィンの干渉緩和部
１００  支持部材用のカバー
１１０，１２０，１３０  サイドカバーの部位
１１１  サイドカバーの収容部
１１２  サイドカバーの第１係合突起部
１１３  サイドカバーの上側外れ防止片
１１３ａ  サイドカバーの上側外れ防止壁
１１４  サイドカバーの下側外れ防止片
１１４ａ  サイドカバーの上側外れ防止壁
１１５  サイドカバーの第２係合突起部
１１６  サイドカバーの軸押さえ片
１１７  サイドカバーの干渉避け部
１１８  サイドカバーの返し部
１１９  サイドカバーの生地押さえ
【図１】
2018109291.tif 000003
【図２】
2018109291.tif 000004
【図３】
2018109291.tif 000005
【図４】
2018109291.tif 000006
【図５】
2018109291.tif 000007
【図６】
2018109291.tif 000008
【図７】
2018109291.tif 000009
【図８】
2018109291.tif 000010
【図９】
2018109291.tif 000011
【図１０】
2018109291.tif 000012
【図１１】
2018109291.tif 000013
【図１２】
2018109291.tif 000014
【図１３】
2018109291.tif 000015
【図１４】
2018109291.tif 000016
【図１５】
2018109291.tif 000017
【図１６】
2018109291.tif 000018
【図１７】
2018109291.tif 000019
【図１８】
2018109291.tif 000020
【図１９】
2018109291.tif 000021
【図２０】
2018109291.tif 000022
【図２１】
2018109291.tif 000023